(57)【要約】【課題】デジタル放送を送受信するＣＡＴＶシステムにおいて、予約待機時の消費電力の低減を可能としたデジタル放送受信装置を提供する。【解決手段】デジタル放送送信装置から予約起動信号が出力されると、レギュレータ制御信号がＨｉレベルとなり、出力制御端子付レギュレータ１１３ａからＣＰＵ電源が供給される。ＣＰＵ１１２ａは、電源供給により起動されると、メイン電源制御信号を送信してメイン電源ユニット１１３ｂから回路全体へ電源を供給させる。また、ＣＰＵ電源供給指示信号をＨｉレベルとすることで、デジタル放送送信装置からの予約起動信号が停止されても、論理和回路１１８ｂからのレギュレータ制御信号は、Ｈｉレベルを維持し、出力制御端子付レギュレータ１１３ａからＣＰＵ電源も供給され続け、起動を継続する事が可能となる。【選択図】        図３
2004260235.tif 000002
【特許請求の範囲】
【請求項１】
デジタル放送を受信するデジタル放送受信装置において、該デジタル放送受信装置は、双方向通信可能なチャンネルを有し、
該チャンネルから特定のチャンネルを選択し、該選択したチャンネルの帯域内の信号を取得する信号取得手段と、
該信号取得手段により取得した信号の電圧若しくは電力が所定の値を越えた時に、前記デジタル放送受信装置の一部若しくは全部に電源供給を開始する電源供給手段と、
該電源供給手段により電源が供給された時に、放送信号に重畳された予約情報を取得する予約情報取得手段と、
該予約情報取得手段により取得した予約情報に含まれる受信装置特定情報と、前記デジタル放送受信装置が保持する自己識別情報とが一致するかどうかを比較する識別情報比較手段と、
該識別情報比較手段が前記受信装置特定情報と前記自己識別情報とが一致することを検出した時に、前記予約情報取得手段により取得した予約情報に従って、予約動作を実行する予約動作実行手段とを有することを特徴としたデジタル放送受信装置。
【請求項２】
前記デジタル放送受信装置は、ユーザが該デジタル放送受信装置に設定した予約情報を、放送事業者等に付随する予約情報管理手段に送信する予約情報送信手段を有することを特徴とした請求項１に記載のデジタル放送受信装置。
【請求項３】
前記予約情報送信手段は、前記予約情報管理手段が接続されているケーブルや電話線等を通じて前記ユーザが設定した予約情報を送信することを特徴とした請求項２に記載のデジタル放送受信装置。
【請求項４】
前記予約情報管理手段に送信される予約情報は、自己識別情報を含むことを特徴とした請求項２または３に記載のデジタル放送受信装置。
【請求項５】
前記デジタル放送受信装置は、前記受信装置特定情報と前記自己識別情報が一致しなかった時に、前記デジタル放送受信装置の電源を遮断し、電源オフの状態に移行することを特徴とした請求項１乃至４のいずれかに記載のデジタル放送受信装置。
【請求項６】
デジタル放送を送信するデジタル放送送信装置において、該デジタル放送送信装置は、
特定のチャンネルに信号を出力する信号出力手段と、
該信号出力手段が出力する信号を受信するデジタル放送受信装置に送信する予約情報を保存する予約情報保存手段と、
該予約情報を放送信号に重畳して送出する予約情報送出手段とを有し、
前記保存された予約情報により特定される開始時刻以前の所定の時間のみ、前記予約情報送出手段が前記保存された予約情報を放送信号に重畳し、また、前記信号出力手段が特定のチャンネルに信号を出力することを特徴としたデジタル放送送信装置。
【請求項７】
前記デジタル放送送信装置は、請求項２に記載の予約情報管理手段を有することを特徴とした請求項６に記載のデジタル放送送信装置。
【請求項８】
前記デジタル放送送信装置は、前記予約情報管理手段が取得した予約情報に含まれる自己識別情報を、受信装置特定情報として用いることを特徴とした請求項７に記載のデジタル放送送信装置。
【請求項９】
デジタル放送を送受信するＣＡＴＶシステムおいて、該ＣＡＴＶシステムは、
双方向通信可能なチャンネルを有し、該チャンネルから特定のチャンネルを選択し、該選択したチャンネルの帯域内の信号を取得する手段と、該取得した信号の電圧若しくは電力が所定の値を越えた時に、前記デジタル放送受信装置の一部若しくは全部に電源供給を開始する手段と、該電源を供給する手段により電源が供給された時に、放送信号に重畳された予約情報を取得する手段と、該取得した予約情報に含まれる受信装置特定情報と、前記デジタル放送受信装置が保持する自己識別情報とが一致するかどうかを比較する手段と、該比較する手段が前記受信装置特定情報と前記自己識別情報とが一致することを検出した時に、前記取得した予約情報に従って、予約動作を実行する手段とを有するデジタル放送受信装置と、
特定のチャンネルに信号を出力する手段と、該信号を出力する手段が出力する信号を受信するデジタル放送受信装置に送信する予約情報を保存する手段と、該予約情報を放送信号に重畳して送出する手段とを有し、前記保存された予約情報により特定される開始時刻以前の所定の時間のみ、前記保存された予約情報を放送信号に重畳し、また、前記特定のチャンネルに信号を出力するデジタル放送送信装置とから構成されることを特徴としたＣＡＴＶシステム。
【発明の詳細な説明】
【０００１】
【発明の属する技術分野】
本発明は、デジタル放送受信装置、デジタル放送送信装置、及びＣＡＴＶ（Ｃｏｍｍｕｎｉｔｙ  Ａｎｔｅｎｎａ  Ｔｅｌｅｖｉｓｉｏｎ）システムに関し、より詳細には、デジタル放送を送受信するＣＡＴＶシステムにおいて、消費電力の低減化を可能とする番組予約機能を有するデジタル放送受信装置、デジタル放送送信装置、及びＣＡＴＶシステムに関する。
【０００２】
【従来の技術】
近年、国内では、ＢＳ（Ｂｒｏａｄｃａｓｔｉｎｇ  Ｓａｔｅｌｌｉｔｅ）デジタル放送が開始され、今後、地上波デジタル放送等が計画されている。また、ＣＡＴＶのデジタル化も進んでおり、これらに対応したデジタル放送受信装置やデジタル放送送信装置が種々提案されている。
【０００３】
図６は、従来技術を用いたデジタル放送受信装置のブロック図であり、受信動作と番組予約動作を説明するための図である。ケーブルを介して受信された放送信号は、チューナ３０１に入力され、周波数が選択されて、復調部３０２に入力され、復調処理が行われる。復調部３０２の出力は、トランスポートストリーム（以下、ＴＳ（Ｔｒａｎｐｏｒｔ  Ｓｔｒｅａｍ）という）として、トランスポートストリーム分離部（ＴＳ分離部）３０３に送られ、パケットの分離が行われる。ＴＳ分離部３０３では、ＭＰＥＧ（Ｍｏｖｉｎｇ  Ｐｉｃｔｕｒｅ  Ｅｘｐｅｒｔｓ  Ｇｒｏｕｐ）ビデオデータと、ＭＰＥＧオーディオデータと、ＥＰＧ（Ｅｌｅｃｔｒｏｎｉｃ  Ｐｒｏｇｒａｍ  Ｇｕｉｄｅ）データ及び制御命令コードなどを含む付属情報とに分離される。ＴＳ分離部３０３によって分離されたＭＰＥＧビデオデータは、映像処理部３０６に送られて復号される。ＭＰＥＧオーディオデータは、音声処理部３０４に送られて復号され、音声出力端子３０５に送られる。
【０００４】
ＴＳ分離部３０３によって分離された付属情報は、制御部３１１を介して、メモリ３１０に格納される。メモリ３１０に格納された付属情報の内のＥＰＧデータ等は、制御部３１１によりＥＰＧ生成データに加工され、オンスクリーン生成部３０７に送られる。オンスクリーン生成部３０７は、ＥＰＧ生成データから表示データを生成する。該表示データは、映像処理部３０６で復号されたビデオ信号にスーパーインポーズ処理されて映像出力端子３０８に送られ、再生されているＭＰＥＧ映像上に番組表として表示される。この番組表は、例えば、現在から１週間後までの放送予定で構成されており、ユーザは、表示されたＥＰＧから、例えば、数日先の番組の視聴予約や録画予約をすることができる。番組予約が為されると、その番組の予約情報（すなわち、開始時間、終了時間、選局情報等）は、予約起動管理部３１２に保存される。この予約起動管理部３１２は、小規模なＣＰＵやメモリで構成する事が可能であり、時間を管理する為のタイマを持っている。
【０００５】
ユーザは、予約設定が終了すると、リモコン操作等でデジタル放送受信装置を、全ての回路に電源が供給されている状態（以下、全電源オン状態という）から、予約起動管理部３１２のみに電源が供給されている状態（以下、待機状態という）に移行させ、予約実行を待つ事となる。設定された予約開始時刻が近づくと予約起動管理部３１２は、電源部３１３を制御して、回路全体に電源を供給する全電源オン状態とし、予約動作を起動する。
【０００６】
以上より、従来技術によるデジタル放送受信装置の取り得る電源の状態は、以下の３通りであり、視聴予約を行う際には、待機状態とする。
（１）全ての回路に電源が供給されている状態（全電源オン状態）
（２）予約起動管理部３１２のみに電源が供給されている状態（待機状態）
（３）電源コンセントが外されている状態（以下、交流電源未接続状態という）
【０００７】
また、予約情報をサーバに保存しておき、デジタル放送受信装置が定期的にサーバにアクセスして予約情報を取り込む方法も考えられているが、予約情報を取り込んだ後の予約待機から予約開始における動作は上記と同様である。
【０００８】
また、他の従来技術として、放送信号に重畳された時間情報に基づいてタイマ回路をセットできるようにした受信装置がある。この受信装置は、タイマ予約が実行されていないとき、タイマ回路への電源も遮断することにより、タイマ回路での消費電力を削減している（例えば、特許文献１参照）。
【０００９】
また、さらに、他の従来技術として、予約待機時に消費電力を削減する予約処理システムがある。この、予約処理システムでは、時計を内蔵している電源制御部が、録画開始時刻の所定時間前までは電源制御部以外の各部への電源を遮断し、開始時刻の所定時間前にインタフェース部に電源を供給し、さらに、開始時刻の数秒前にコントローラからインタフェース部を介して録画開始の指示があった時に、予約録画のためのすべての部位に電源を供給することにより、予約待機時の消費電量を削減している（例えば、特許文献２参照）。
【００１０】
【特許文献１】
特開平１１−２８４９１９号公報（第２−３頁、第５図）
【特許文献２】
特開２００２−６３７４９号公報（第２−６頁、第１図）
【００１１】
【発明が解決しようとする課題】
しかしながら、これらの従来技術においては、時計やタイマを用いて予約開始時刻を管理する部位に通電して、動作させておく必要が有り、予約待機時に余分な消費電力が発生するという問題が有る。
【００１２】
本発明は、このような問題を解決するために、デジタル放送を送受信するＣＡＴＶシステムにおいて、予約開始時刻が近づいた時に送信される信号を受信するまで電源を遮断することにより、予約待機時の消費電力の低減を可能としたデジタル放送受信装置、デジタル放送送信装置、及びＣＡＴＶシステムを提供することを目的とする。
【００１３】
【課題を解決するための手段】
本発明は、デジタル放送を受信するデジタル放送受信装置において、双方向通信可能なチャンネルを有し、該チャンネルから特定のチャンネルを選択し、該選択したチャンネルの帯域内の信号を取得する信号取得手段と、該信号取得手段により取得した信号の電圧若しくは電力が所定の値を越えた時に、前記デジタル受信装置の一部若しくは全部に電源供給を開始する電源供給手段と、該電源供給手段により電源が供給された時に、放送信号に重畳された予約情報を取得する予約情報取得手段と、該予約情報取得手段により取得した予約情報に含まれる受信装置特定情報と、前記デジタル放送受信装置が保持する自己識別情報とが一致するかどうかを比較する識別情報比較手段と、該識別情報比較手段が前記受信機特定情報と前記自己識別情報とが一致することを検出した時に、前記予約情報取得手段により取得した予約情報に従って、予約動作を実行する予約動作実手段とを有することを特徴とする。
【００１４】
また、前記デジタル放送受信装置は、ユーザが該デジタル放送受信装置に設定した予約情報を、放送事業者等に付随する予約情報管理手段に送信する予約情報送信手段を有することを特徴とする。
【００１５】
また、前記予約情報送信手段は、前記予約情報管理手段が接続されているケーブルや電話線等を通じて前記ユーザが設定した予約情報を送信することを特徴とする。
【００１６】
また、前記予約情報管理手段に送信される予約情報は、自己識別情報を含むことを特徴とする。
【００１７】
また、前記デジタル放送受信装置は、前記受信装置特定情報と前記自己識別情報が一致しなかった時に、前記デジタル放送受信装置の電源を遮断し、電源オフの状態に移行することを特徴とする。
【００１８】
また、デジタル放送を送信するデジタル放送送信装置において、該デジタル放送送信装置は、特定のチャンネルに信号を出力する信号出力手段と、該信号出力手段が出力する信号を受信するデジタル放送受信装置に送信する予約情報を保存する予約情報保存手段と、該予約情報を放送信号に重畳して送出する予約情報送出手段とを有し、前記保存された予約情報により特定される開始時刻以前の所定の時間のみ、前記予約情報送出手段が前記保存された予約情報を放送信号に重畳し、また、前記信号出力手段が特定のチャンネルに信号を出力することを特徴とする。
【００１９】
また、前記デジタル放送送信装置は、前記予約情報管理手段を有することを特徴とする。
【００２０】
また、前記デジタル放送送信装置は、前記予約情報管理手段が取得した予約情報に含まれる自己識別情報を、受信装置特定情報として用いることを特徴とする。
【００２１】
また、デジタル放送を送受信するＣＡＴＶシステムおいて、該ＣＡＴＶシステムは、双方向通信可能なチャンネルを有し、該チャンネルから特定のチャンネルを選択し、該選択したチャンネルの帯域内の信号を取得する手段と、該取得した信号の電圧若しくは電力が所定の値を越えた時に、前記デジタル放送受信装置の一部若しくは全部に電源供給を開始する手段と、該電源を供給する手段により電源が供給された時に、放送信号に重畳された予約情報を取得する手段と、該取得した予約情報に含まれる受信装置特定情報と、前記デジタル放送受信装置が保持する自己識別情報とが一致するかどうかを比較する手段と、該比較する手段が前記受信装置特定情報と前記自己識別情報とが一致することを検出した時に、前記取得した予約情報に従って、予約動作を実行する手段とを有するデジタル放送受信装置と、特定のチャンネルに信号を出力する手段と、該信号を出力する手段が出力する信号を受信するデジタル放送受信装置に送信する予約情報を保存する手段と、該予約情報を放送信号に重畳して送出する手段とを有し、前記保存された予約情報により特定される開始時刻以前の所定の時間のみ、前記保存された予約情報を放送信号に重畳し、また、前記特定のチャンネルに信号を出力するデジタル放送送信装置とから構成されることを特徴とする。
【００２２】
【発明の実施の形態】
図１は、本発明によるデジタル放送受信装置の一実施例のブロック図であり、同図に示すデジタル放送受信装置は、従来技術のデジタル放送受信装置とほとんどの部位が同じものであり、以下、相違する部分について説明する。ユーザが、従来技術と同様の手段で表示されたＥＰＧ画面を見ながら、リモコン１１５を用いて設定した予約情報を、予約データ送出部１１９で、ＱＰＳＫ（Ｑｕａｄｒａｔｕｒｅ  Ｐｈａｓｅ  Ｓｈｉｆｔ  Ｋｅｙｉｎｇ）信号に変調して放送局へ送出する。この場合、放送局へ送出する変調方式は、１６ＱＡＭ（Ｑｕａｄｒａｔｕｒｅ  Ａｍｐｌｉｔｕｄｅ  Ｍｏｄｕｌａｔｉｏｎ）等他の変調方式でも良い。送出する予約情報には、自らのデジタル放送受信装置を識別する為の識別情報、選局を行う為の情報、予約番組の時間を特定するための情報が含まれる。また、データを送出する予約データ送出部１１９は、同軸ケーブルを利用するケーブルモデムでも良いし、電話線を利用する電話モデム等でも良い。
【００２３】
本発明では、従来技術での３通りの電源の状態に対して、電源部からの全電源供給を止めている状態（以下、電源オフ状態という）を新設し、以下に示す４通りの電源の状態を設定可能とする。
（１）全ての回路に電源が供給されている状態（全電源オン状態）
（２）予約起動管理部３１２のみに電源が供給されている状態（待機状態）
（３）電源部からの全電源供給を止めている状態（電源オフ状態）
（４）電源コンセントが外されている状態（交流電源未接続状態）
これらの状態の切り替えは、予約起動管理部１１２と電圧判定部１１８により行われる。
予約情報送信後、制御部１１１からの指示により、予約起動管理部１１２は、デジタル放送受信装置を電源オフ状態に設定し、デジタル放送受信装置は、デジタル放送送信装置からの予約起動を待つ。これにより、従来待機時に予約起動管理部３１２で消費されていた待機電力を削減する事が可能となる。
【００２４】
制御命令コード抽出部１１６は、制御部１１１の指示により、ＴＳ分離部１０３がＴＳから分離した付属情報から、制御命令コードを抽出する。抽出された制御命令コードは、制御命令コードデコード部１１７でデコードされて、予約情報として、制御部１１１に報告される。制御部１１１は、予約情報に基づいて、予約設定や予約削除を行う。
【００２５】
図２は、本発明によるデジタル放送送信装置の一実施例のブロック図であり、ＢＳデジタル放送を再送信するデジタル放送送信装置を代表例として示している。このデジタル放送送信装置は、放送局に設置されており、上記のデジタル放送受信装置から送信された予約情報を受信して管理し、必要な時点でその予約情報を放送信号に含めて送信する。ＢＳデジタル放送波は、ＢＳアンテナ２０１を介してＢＳ受信部２０２で受信され、高周波処理および復調が行われる。ＢＳ受信部２０２から出力される放送トランスポートストリーム（以下、「放送ＴＳ」という）は、ＴＳ多重分離部２０３に送られ、このＴＳ多重分離部２０３において、ＢＳデジタル放送のデータサイズがＣＡＴＶシステムで配信できるデータサイズよりも大きいことから、ＣＡＴＶシステムで配信できるサイズに変換されて分離される。
【００２６】
一方、デジタル放送受信装置から伝送された予約情報は、ＲＦ受信部２１２で受信された後、ＱＰＳＫ復調部２１３でデータ列に変換される。変換されたデータ列は、上り信号受信部２０８で予約情報が選択され、選択された予約情報は、記憶部２０９に格納される。本実施例では、ＱＰＳＫ復調部としているが、デジタル放送受信装置の出力信号の変調方式に応じた他の復調器でも良い。
【００２７】
記憶部２０９に格納された予約情報は、予約情報管理部２０７の制御により、予約情報エンコード部２０６に送られる。予約情報エンコード部２０６は、複数の放送形態に対応して複数用意することが可能であり、予約情報管理部２０７は、予約情報の送信先として複数の放送形態がある場合は、その複数の放送形態の中から適切な放送形態に属する予約情報エンコード部２０６を選択する。
【００２８】
予約情報エンコード部２０６は、送られた予約情報から、デジタル放送受信装置を識別する為の識別情報、つまり、受信機ＩＤに対応した制御命令コードを生成し、カルーセル送信部２１０に送る。カルーセル送信部２１０は、予約情報エンコード部２０６で生成された制御命令コードを、ＴＳ多重分離部２０３へ所定の間隔で繰り返し送る。ＴＳ多重分離部２０３は、放送ＴＳに含まれるデータのないパケット（ＮＵＬＬパケット）にその制御命令コードを挿入するか、又は、その制御命令コードにより構成される独立したＴＳ（以下、「制御命令ＴＳ」という）を生成するかのいずれかを実行する。ＴＳ多重分離部２０３は、制御命令コードを含んだ放送ＴＳ、もしくは、放送ＴＳと制御命令ＴＳを６４ＱＡＭ変調部２０４に送る。カルーセル送信部２１０の送出タイミングや、ＴＳ多重分離部２０３での制御命令コードの挿入タイミングなどは、多重化制御部２１１により制御される。６４ＱＡＭ変調部２０４は、制御命令コードを含んだ放送ＴＳ、もしくは、放送ＴＳと制御命令ＴＳに対し、６４ＱＡＭ変調、及び誤り訂正符号の付加を行い、ＲＦ送信部２０５に送る。ここでは、６４ＱＡＭ変調を用いて説明しているが、放送に適した他の変調方式でも良い。
【００２９】
カルーセル送信部２１０から制御命令コードをいつ、送出するかについては、いろいろな方法が考えられる。例えば、予約情報が受け付けられた時、直ちに、送出を開始する方法、予約された動作を開始すべき時刻が近づいた時に、送出を開始する方法、可能であれば常に送出を継続する方法、あるいは、それらを組み合わた方法など、である。特に、予約された動作を開始すべき時刻が近づいた時（たとえば１分前）に、制御命令コードの送出をある期間行う方法は、予約された動作を開始すべき時刻が間近になった時刻に、デジタル放送受信装置が、予約動作実行に不可欠なもの、つまり、電源、及び、コンテンツが送られてくる送信媒体に接続されている限り、ほぼ間違い無く動作予約できるという利点や、デジタル放送受信装置は、一時期には、一つの動作予約だけを記録すればよいといった利点がある。また、デジタル放送送信装置においても、一度に送信する予約情報数を限定できるので、放送信号で送信される他の情報を圧迫しないという利点が有る。
【００３０】
多重化制御部２１１は、予約情報に合わせて予約起動信号送出命令を６４ＱＡＭ変調部２０４に指示し、これまで出力を停止していた所定の予約起動用チャンネルの周波数に６４ＱＡＭ信号を出力する（以下、予約起動信号という）。予約起動信号で送信されるデータとしては、ＴＳである必要は無く、ランダムデータ等任意のデータで良い。また、別の方法として、６４ＱＡＭ信号ではなく単一周波数の搬送波等を用いても良い。
【００３１】
本発明においては、放送局におけるデジタル放送送信装置から送信される予約起動信号により、デジタル放送受信装置が起動され、予約動作を開始するが、この予約起動信号が、常時出力されてしまうとデジタル放送受信装置も常時全電源オン状態となってしまう。記憶部２０９には、複数のデジタル放送受信装置のための予約情報が保存されており、例えば、予約情報が記憶部２０９に存在するか否かのみを判断して予約起動信号を出力すると、予約起動信号が連続して出力される場合がある。そこで、記憶部２０９に保存されている予約情報の開始時刻を管理し、その予約開始時刻以前の一定時間のみ、予約起動信号を出力することにより、他のデジタル放送受信装置を起動する為に出力された予約起動信号で起動され、自デジタル放送受信装置が選択されたかどうかを確認するという動作の回数を最小限に抑える事が可能となる。
【００３２】
図３は、本発明によるデジタル放送受信装置の起動部のブロック図であり、本発明によるデジタル放送受信装置の起動動作について説明するための図である。予約待機時である電源オフ状態では、従来技術では通電されていた予約起動管理部１１２内のＣＰＵ１１２ａにも電源が供給されず、ＣＰＵ１１２ａから論理和回路１１８ｂへのＣＰＵ電源供給指示信号は、回路におけるグラウンドレベル（以下、Ｌｏレベルという）となっている。ここで、電圧判定部１１８内のバンドパスフィルタ１１８ａで選択した予約起動信号が、Ｌｏレベルであれば、論理和回路１１８ｂで演算されるレギュレータ制御信号もＬｏレベルとなり、出力制御端子付レギュレータ１１３ａから、電源は、供給されない。
【００３３】
ここで、バンドパスフィルタ１１８ａは、予約起動信号を受信する為に、所定の予約起動用チャンネルの信号を取得できるように、受動部品を用いて設計する事が、一般的に可能である。また、本実施例では、出力制御端子付レギュレータ１１３ａの制御端子は、所定の駆動電圧（以下、Ｈｉレベルという）が入力された際に電源を出力することとしたが、このレギュレータ制御信号の極性やＣＰＵ電源供給指示信号の極性は、他の組み合わせを考えて変更しても良い。
【００３４】
デジタル放送送信装置から予約起動信号が出力されると、レギュレータ制御信号がＨｉレベルとなり、出力制御端子付レギュレータ１１３ａからＣＰＵ電源が供給される。ＣＰＵ１１２ａは、電源供給により起動されると、メイン電源制御信号を送信してメイン電源ユニット１１３ｂから回路全体へ電源を供給させる。また、ＣＰＵ電源供給指示信号をＨｉレベルとすることで、デジタル放送送信装置からの予約起動信号が停止されても、論理和回路１１８ｂからのレギュレータ制御信号は、Ｈｉレベルを維持し、出力制御端子付レギュレータ１１３ａからＣＰＵ電源も供給され続け、起動を継続する事が可能となる。
【００３５】
また、受信した予約情報に含まれる受信装置特定情報（受信機ＩＤ）とデジタル放送受信装置が保持する自己識別情報を比較し、一致が見られなかった場合は、ＣＰＵ１１２ａは、メイン電源制御信号とＣＰＵ電源供給指示信号をＬｏレベルとする事で、ＣＰＵ１１２ａ自体への電源供給とメイン電源ユニット１１３ｂからの回路全体への電源供給とを停止し、本発明の予約待機状態である電源オフ状態に移行する。これにより、電力を消費せずに予約を待ち受ける事が可能となる。
【００３６】
図４は、本発明によるデジタル放送受信装置の動作フローチャートであり、電源が起動された後の予約時の動作について説明するための図である。デジタル放送受信装置には、番組予約サービス機能を備えたケーブル放送事業者から放送信号が送信されてくるが、チューナ１０１が、制御命令コードを含むトランスポートストリーム（ＴＳ）を受信すると（ステップＳ１）、ＴＳ分離部１０３は、ＴＳから付属情報を分離し、さらに、制御命令コード抽出部１１６は、付属情報に含まれる制御命令コード識別ＩＤを参照して、付属情報から制御命令コードを、分離する（ステップＳ２）。次いで、制御命令コード抽出部１１６は、不揮発性メモリ１０９から受信機ＩＤを読み出し（ステップＳ３）、該受信機ＩＤが、制御命令コード抽出部１１６で分離された制御命令コード内に存在している受信機ＩＤと同一であるか否かを判定する（ステップＳ４）。同一でない場合は、予約処理を終了し、同一である場合には、受信機ＩＤに続いて制御命令コードがあるか否かを判定する（ステップＳ５）。制御命令コードがある場合、つまり、判定がＹＥＳである場合、該当する制御命令コードを制御命令コードデコード部１１７でデコードして、予約情報を得る（ステップＳ６）。
【００３７】
その後、制御命令コードの「予約設定・削除コマンド」が「予約設定」になっているか否かを判定し（ステップＳ７）、「予約設定」の場合、つまり、判定結果がＹＥＳの場合は、制御部１１１は、予約起動管理部１１２に予約情報がすでに格納されているか否かを判定する（ステップＳ８）。予約情報が格納されていない場合は、予約起動管理部１１２に、予約情報（チャンネル番号、開始日時、終了日時、外部機器制御コマンドなど）を格納する（ステップＳ９）。予約情報がすでに格納されている場合は、予約設定を実行せずに、ステップＳ５に戻る。そして、引き続き制御命令コードがあるか確認し、制御命令コードが無くなるまで、ステップＳ５からステップＳ９までを繰り返し、制御命令コードが無くなると、予約処理を終了する。
【００３８】
制御命令コードの「予約設定・削除コマンド」が「予約削除」であった場合は、制御部１１１は、予約起動管理部１１２から、該当する予約情報を削除し（ステップＳ１０）、ステップＳ５に戻る。
【００３９】
図５は、本発明による制御命令コードのデータ構造の一実施例を示す図であり、「制御命令コード識別ＩＤ」は、この情報が、制御命令コードであることを表し、この「制御命令コード識別ＩＤ」を基に、制御命令コードを付属情報から分離することができる。「受信機ＩＤ」は、デジタル放送受信装置にユニークに付けられたＩＤ（識別情報）であり、デジタル放送受信装置の識別を行うことができる。「データ長」は、データ構造中の「データ長」に続くデータのデータ長を表しており、デジタル放送受信装置は、この「データ長」により、繰り返しの回数がいくつであるかを、判断することができる。「予約設定・削除コマンド」には、予約設定あるいは予約削除といったコマンドが示されており、これにより、制御命令コード中の以降の情報が予約設定のための情報であるか、予約削除のための情報であるかがわかる。「チャンネル番号」は、予約番組のチャンネル情報を表している。「開始日時」は、予約開始日時を表し、「終了日時」は、予約終了日時を表している。「外部機器制御コマンド」は、録画予約などを行う際に、デジタル放送受信装置から、外部に接続したＶＴＲなどの記録装置をコントロールするかどうかを設定する。「ＣＲＣ」は、誤りを検出するためのデータである。本実施例では、コマンドとして、「予約設定・削除コマンド」の例を説明しているが、もちろん「受信機の誤動作防止操作ロック」等他のコマンドを設定してもよい。
【００４０】
以上のような予約設定・削除コマンドから外部機器制御コマンドまでの情報を、データ構造中に繰り返し記述することにより、受信機ＩＤにより識別される一つのデジタル放送受信装置に対して、複数の予約設定や予約削除を一度に指示することができる。
【００４１】
本発明による消費電力抑制効果について試作システムを用いて検証した結果を以下に示す。
検証用ＢＳデジタル放送受信装置において、受信動作時の消費電力は、２４Ｗ（ワット）、予約起動管理部１１２のみ起動している待機状態での消費電力は、２Ｗであった。また、電源オフ状態から起動し、放送信号の受信を行い、本発明の実施例で説明している予約情報を含むカルーセルデータを取得完了するまでの時間を測定すると、平均２２．９秒であった。
【００４２】
（財団法人）省エネルギーセンターから公表されている待機消費電力調査結果「家庭における待機時消費電力調査」によると、衛星放送チューナの待機消費電力は、１２．３Ｗ（＝（全電源オン状態の消費電力＋待機状態の消費電力）／２）となっている。
同計算式に検証用ＢＳデジタル放送受信装置の値を使用すると、（２４＋２）／２＝１３Ｗとなり、前記待機消費電力調査結果の待機消費電力の値と大差無く、ほぼ平均的な値と考えられる。
【００４３】
また、従来技術によるデジタル放送受信装置の予約待機動作を２４時間継続した場合の消費電力量は、以下となる。
２Ｗ  ｘ  ２４ｈ＝４８Ｗｈ（ワット時）
これに対して、本発明によるデジタル放送受信装置において、電源オフ状態から予約起動信号により起動してカルーセルデータを受信完了するまでの消費電力量は、
２４Ｗ  ｘ  ２２．９秒＝０．１５３Ｗｈ
となり、例えば他のデジタル放送受信装置を対象とした予約起動信号を５分間に１度受信して起動、予約情報の確認を行ったとしても
０．１５３Ｗｈ  ｘ  ２８８回＝４４．１Ｗｈ
となり、２４時間継続した場合の消費電力量４８Ｗｈ以下であり、全体として消費電力を抑制する事が可能となる。
【００４４】
【発明の効果】
本発明によれば、予約開始時刻が近づいた時に送信される信号を受信するまで電源を遮断することにより、デジタル放送受信装置の予約待機時の消費電力を削減させる事が可能となる。
【００４５】
また、放送信号に重畳される受信装置特定情報が、他のデジタル放送受信装置を示している場合は、自デジタル放送受信装置の電源を遮断することにより、自デジタル放送受信装置の予約処理に必要の無い起動時間を極力少なくする事が可能となる。
【図面の簡単な説明】
【図１】本発明によるデジタル放送受信装置の一実施例のブロック図である。
【図２】本発明によるデジタル放送送信装置の一実施例のブロック図である。
【図３】本発明によるデジタル放送受信装置の起動部のブロック図である。
【図４】本発明によるデジタル放送受信装置の動作フローチャートである。
【図５】本発明による制御命令コードのデータ構造の一実施例を示す図である。
【図６】従来技術を用いたデジタル放送受信装置のブロック図である。
【符号の説明】
１０１…チューナ、１０２…復調部、１０３…トランスポートストリーム分離部、１０４…音声処理部、１０５…音声出力端子、１０６…映像処理部、１０７…オンスクリーン生成部、１０８…映像出力端子、１０９…不揮発性メモリ、１１０…メモリ、１１１…制御部、１１２…予約起動管理部、１１２ａ…ＣＰＵ、１１２ｂ…メモリ、１１２ｃ…表示部、１１３…電源部、１１３ａ…出力制御端子付レギュレータ、１１３ｂ…メイン電源ユニット、１１４…リモコン受信部、１１５…リモコン、１１６…制御命令コード抽出部、１１７…制御命令コードデコード部、１１８…電圧判定部、１１８ａ…バンドパスフィルタ、１１８ｂ…論理和回路、１１９…予約データ送出部、２０１…ＢＳアンテナ、２０２…ＢＳ受信部、２０３…ＴＳ多重分離部、２０４…６４ＱＡＭ変調部、２０５…ＲＦ送信部、２０６…予約情報エンコード部、２０７…予約情報管理部、２０８…上り信号受信部、２０９…記憶部、２１０…カルーセル送信部、２１１…多重化制御部、２１２…ＲＦ受信部、２１３…ＱＰＳＫ復調部、３０１…チューナ、３０２…復調部、３０３…トランスポートストリーム分離部、３０４…音声処理部、３０５…音声出力端子、３０６…映像処理部、３０７…オンスクリーン生成部、３０８…映像出力端子、３０９…不揮発性メモリ、３１０…メモリ、３１１…制御部、３１２…予約起動管理部、３１３…電源部、３１４…リモコン受信部、３１５…リモコン。
【図１】
2004260235.tif 000003
【図２】
2004260235.tif 000004
【図３】
2004260235.tif 000005
【図４】
2004260235.tif 000006
【図５】
2004260235.tif 000007
【図６】
2004260235.tif 000008